【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
第１の認証方式によるユーザ認証を行う第１の認証手段と、
前記第１の認証方式によるユーザ認証用に登録されたユーザ情報を管理する第１の管理手段と、
第２の認証方式によるユーザ認証を行う第２の認証手段と、
前記第２の認証方式によるユーザ認証用に登録されたユーザ情報を管理する第２の管理手段と、
前記第２の認証方式によるユーザ認証用に登録されたユーザの識別情報のうちから、前記第１の認証方式によるユーザ認証用に登録すべきユーザの識別情報の選択を受け付ける受付手段と、
選択された識別情報に対応するユーザのユーザ情報のうち前記第１の認証方式に固有の情報を登録するよう、前記第１の管理手段を制御する制御手段と
を備えることを特徴とする情報処理装置。
【請求項２】
前記第２の認証方式によるユーザ認証用に登録されたユーザ情報に対応するユーザリストを取得する取得手段と、
前記ユーザリストが示すユーザ名のリストを表示する表示手段とを更に備え、
前記受付手段は、前記表示手段に表示された前記リストのうちから、前記第１の認証方式によるユーザ認証用に登録すべきユーザ名の選択を受け付けることを特徴とする請求項１に記載の情報処理装置。
【請求項３】
前記第１の認証方式に固有の情報は、ＭＩＢ（Management Information Base）アクセス制限情報、認証アルゴリズムを示す情報、暗号化アルゴリズムを示す情報、及び、暗号化パスワードのうち少なくともいずれかを含むことを特徴とする請求項１又は２に記載の情報処理装置。
【請求項４】
第１の認証方式によるユーザ認証を行う第１の認証手段と、
前記第１の認証方式によるユーザ認証用に登録されたユーザ情報を管理する第１の管理手段と、
第２の認証方式によるユーザ認証を行う第２の認証手段と、
前記第２の認証方式によるユーザ認証用に登録されたユーザ情報を管理する第２の管理手段と、
前記第１の認証方式によるユーザ認証用に登録すべきユーザ情報の入力を受け付ける入力手段と、
前記入力手段を介してユーザの識別情報が入力されると、当該識別情報が示すユーザについて、前記第２の管理手段によって前記第２の認証方式によるユーザ認証用のユーザ情報が管理されているか否かを確認する確認手段と、
前記確認手段によって、前記第２の認証方式によるユーザ認証用のユーザ情報が管理されていると確認された場合には、前記第１の認証方式によるユーザ認証用に登録すべきユーザ情報のうち一部のユーザ情報をユーザが前記入力手段を介して入力することを制限する制限手段と、
前記入力手段により入力されたユーザ情報を前記第１の認証方式によるユーザ認証用に登録するよう、前記第１の管理手段を制御する制御手段と
を備えることを特徴とする情報処理装置。
【請求項５】
前記一部のユーザ情報は、前記第１の認証方式に固有のユーザ情報ではないユーザ情報であることを特徴とする請求項４に記載の情報処理装置。
【請求項６】
前記制限手段は、前記第１の認証方式によるユーザ認証用に登録すべきユーザ情報のうち認証パスワードを、ユーザが前記入力手段を介して入力できないように制限することを特徴とする請求項４又は５に記載の情報処理装置。
【請求項７】
前記第１の認証方式は、ＳＮＭＰ（Simple Network Management Protocol）に従った認証方式であることを特徴とする請求項１から６のうちいずれか１項に記載の情報処理装置。
【請求項８】
第１の認証方式によるユーザ認証を行う第１の認証手段と、前記第１の認証方式によるユーザ認証用に登録されたユーザ情報を管理する第１の管理手段と、第２の認証方式によるユーザ認証を行う第２の認証手段と、前記第２の認証方式によるユーザ認証用に登録されたユーザ情報を管理する第２の管理手段とを有する情報処理装置の制御方法であって、
前記第２の認証方式によるユーザ認証用に登録されたユーザの識別情報のうちから、前記第１の認証方式によるユーザ認証用に登録すべきユーザの識別情報の選択を受け付ける受付ステップと、
選択された識別情報に対応するユーザのユーザ情報のうち前記第１の認証方式に固有の情報を登録するよう、前記第１の管理手段を制御する制御ステップと
を備えることを特徴とする制御方法。
【請求項９】
第１の認証方式によるユーザ認証を行う第１の認証手段と、前記第１の認証方式によるユーザ認証用に登録されたユーザ情報を管理する第１の管理手段と、第２の認証方式によるユーザ認証を行う第２の認証手段と、前記第２の認証方式によるユーザ認証用に登録されたユーザ情報を管理する第２の管理手段と、前記第１の認証方式によるユーザ認証用に登録すべきユーザ情報の入力を受け付ける入力手段とを有する情報処理装置の制御方法であって、
前記入力手段によってユーザの識別情報が入力されると、当該識別情報が示すユーザについて、前記第２の管理手段によって前記第２の認証方式によるユーザ認証用のユーザ情報が管理されているか否かを確認する確認ステップと、
前記確認ステップにおいて、前記第２の認証方式によるユーザ認証用のユーザ情報が管理されていると確認された場合には、前記第１の認証方式によるユーザ認証用に登録すべきユーザ情報のうち一部のユーザ情報を、登録のために入力することを制限する制限ステップと、
前記入力手段により入力されたユーザ情報を前記第１の認証方式によるユーザ認証用に登録するよう、前記第１の管理手段を制御する制御ステップと
を備えることを特徴とする制御方法。
【請求項１０】
第１の認証方式によるユーザ認証を行う第１の認証手段と、前記第１の認証方式によるユーザ認証用に登録されたユーザ情報を管理する第１の管理手段と、第２の認証方式によるユーザ認証を行う第２の認証手段と、前記第２の認証方式によるユーザ認証用に登録されたユーザ情報を管理する第２の管理手段とを有するコンピュータに、
前記第２の認証方式によるユーザ認証用に登録されたユーザの識別情報のうちから、前記第１の認証方式によるユーザ認証用に登録すべきユーザの識別情報の選択を受け付ける受付手順と、
選択された識別情報に対応するユーザのユーザ情報のうち前記第１の認証方式に固有の情報を登録するよう、前記第１の管理手段を制御する制御手順と
を実行させるためのプログラム。
【請求項１１】
第１の認証方式によるユーザ認証を行う第１の認証手段と、前記第１の認証方式によるユーザ認証用に登録されたユーザ情報を管理する第１の管理手段と、第２の認証方式によるユーザ認証を行う第２の認証手段と、前記第２の認証方式によるユーザ認証用に登録されたユーザ情報を管理する第２の管理手段と、前記第１の認証方式によるユーザ認証用に登録すべきユーザ情報の入力を受け付ける入力手段とを有するコンピュータに、
前記入力手段によってユーザの識別情報が入力されると、当該識別情報が示すユーザについて、前記第２の管理手段によって前記第２の認証方式によるユーザ認証用のユーザ情報が管理されているか否かを確認する確認手順と、
前記確認手順において、前記第２の認証方式によるユーザ認証用のユーザ情報が管理されていると確認された場合には、前記第１の認証方式によるユーザ認証用に登録すべきユーザ情報のうち一部のユーザ情報を、登録のために入力することを制限する制限手順と、
前記入力手段により入力されたユーザ情報を前記第１の認証方式によるユーザ認証用に登録するように前記第１の管理手段を制御する制御手順と
を実行させるためのプログラム。
【手続補正２】
【補正対象書類名】明細書
【補正対象項目名】発明の名称
【補正方法】変更
【補正の内容】
【発明の名称】情報処理装置及びその制御方法、並びにプログラム
【手続補正３】
【補正対象書類名】明細書
【補正対象項目名】０００１
【補正方法】変更
【補正の内容】
【０００１】
本発明は、複数の認証方式に対応しており、各認証方式によるユーザ認証を実行可能な情報処理装置及びその制御方法、並びにプログラムに関するものである。
【手続補正４】
【補正対象書類名】明細書
【補正対象項目名】０００８
【補正方法】変更
【補正の内容】
【０００８】
本発明は、例えば、情報処理装置として実現できる。本発明の一態様に係る情報処理装置は、第１の認証方式によるユーザ認証を行う第１の認証手段と、前記第１の認証方式によるユーザ認証用に登録されたユーザ情報を管理する第１の管理手段と、第２の認証方式によるユーザ認証を行う第２の認証手段と、前記第２の認証方式によるユーザ認証用に登録されたユーザ情報を管理する第２の管理手段と、前記第２の認証方式によるユーザ認証用に登録されたユーザの識別情報のうちから、前記第１の認証方式によるユーザ認証用に登録すべきユーザの識別情報の選択を受け付ける受付手段と、選択された識別情報に対応するユーザのユーザ情報のうち前記第１の認証方式に固有の情報を登録するよう、前記第１の管理手段を制御する制御手段とを備えることを特徴とする。
また、本発明の他の一態様に係る情報処理装置は、第１の認証方式によるユーザ認証を行う第１の認証手段と、前記第１の認証方式によるユーザ認証用に登録されたユーザ情報を管理する第１の管理手段と、第２の認証方式によるユーザ認証を行う第２の認証手段と、前記第２の認証方式によるユーザ認証用に登録されたユーザ情報を管理する第２の管理手段と、前記第１の認証方式によるユーザ認証用に登録すべきユーザ情報の入力を受け付ける入力手段と、前記入力手段を介してユーザの識別情報が入力されると、当該識別情報が示すユーザについて、前記第２の管理手段によって前記第２の認証方式によるユーザ認証用のユーザ情報が管理されているか否かを確認する確認手段と、前記確認手段によって、前記第２の認証方式によるユーザ認証用のユーザ情報が管理されていると確認された場合には、前記第１の認証方式によるユーザ認証用に登録すべきユーザ情報のうち一部のユーザ情報をユーザが前記入力手段を介して入力することを制限する制限手段と、前記入力手段により入力されたユーザ情報を前記第１の認証方式によるユーザ認証用に登録するよう、前記第１の管理手段を制御する制御手段とを備えることを特徴とする。